(57)【特許請求の範囲】
【請求項１】
第１ドア（Ａ）側のロック部材と、このロック部材を係合ロックする第２ドア（Ｂ）側のフック部材とでロック装置を構成し、各ドア（Ａ）（Ｂ）は、折り畳まれこのロック装置で一体に結合された状態のまま電磁レリーズにより第２ドア（Ｂ）側が保持されて戸袋内にまとめて収納され、非常時には、電磁レリーズの作動によって第２ドア（Ｂ）の保持状態が解除され、第１ドア（Ａ）に設けたクローザの閉扉力で第１ドア（Ａ）が第２ドア（Ｂ）を折り畳み状態で一体に結合させたまま戸袋から解放され廊下を閉じていく方向に展開し、その後、第１ドア（Ａ）が完全展開する直前において、ロック装置が作動してロック部材とフック部材との係合が解除され、その結果、第２ドア（Ｂ）に設けたクローザの閉扉力により、第２ドア（Ｂ）が閉鎖動作を始め、最終的には、第２ドア（Ｂ）が完全に展開した状態において、廊下を閉鎖することができるようにした折りドアの展開方法において、
折り畳み時に第１ドア（Ａ）のハウジング（２）に収納されたストップ部材（１）を第２ドア（Ｂ）に設けたホールド部材（３）で降下するのを防止するように保持し、
第１ドア（Ａ）が廊下を閉じた後、第２ドア（Ｂ）側が展開し始めて第２ドア（Ｂ）側が第１ドア（Ａ）側から離間することによりホールド部材（３）がストップ部材（１）から離間してストップ部材（１）が降下して廊下の床面に楔状に当接し、第１ドア（Ａ）を保持させた後に第２ドア（Ｂ）がさらに展開して廊下を閉鎖するようにしたことを特徴とする折りドアの展開方法。
【請求項２】
前記第２ドア（Ｂ）が第１ドア（Ａ）に対して折り畳まれる方向に動作するとき、ストップ部材（１）がホールド部材（３）により上昇するように構成したことを特徴とする請求項１に記載の折りドアの展開方法。
【発明の詳細な説明】
【０００１】
【発明の属する技術分野】
この発明は、複数枚のドアを横並びに連結し、普段は折り畳んで収納しておくととともに、非常時には展開して廊下等の所定の場所を閉鎖する折りドアに係り、特に展開した各ドアのねじれや傾きを防止する折りドアの展開方法に関するものである。
【０００２】
【従来の技術】
普段は（壁側の）戸袋に折り畳んで収納しておくととともに、火災等の非常時には展開して廊下等の所定の場所を閉鎖する防火用折りドアが開発され使用されている。
【０００３】
また、この折りドアには、普段は折り畳んで電磁レリーズで戸袋内に収納しておくために各ドアを互いに結合一体化するとともに、非常時には電磁レリーズにより折り畳み状態から解除されてクローザで展開させようにした各ドアを、（防炎・延焼防止等のために所定の場所、例えば廊下等を閉じるために）結合状態から開放するロック装置が開発され使用されている（このロック装置についての詳細は、実用新案登録第１８７４７５４号公報を参照されたい）。
【０００４】
例えば図６に示すように、このロック装置１０には、第１ドアＡ側のロック部材（図略）と、このロック部材を係合ロックする第２ドアＢ側のフック部材（図略）とを備えている。一方、各ドアは、折り畳まれこのロック装置１０で一体に結合された状態のまま電磁レリーズ１１により第２ドアＢ側が保持されて戸袋１２内にまとめて収納されている。
【０００５】
また、非常時には、先ず、電磁レリーズ１１の作動によって第２ドアＢの保持状態が解除され、第１ドアＡに設けたクローザａの閉扉力で第１ドアＡが（第２ドアＢを折り畳み状態で一体に結合させたまま）戸袋から解放され廊下等を閉じていく方向に展開する。
【０００６】
その後、図７に示すように、第１ドアＡが完全展開する直前において、（例えばロック装置の一部が戸当たりの上枠等に接触する等して）ロック部材とフック部材との係合が解除される。その結果、第２ドアＢに設けたクローザｂの閉扉力により、第２ドアＢが閉鎖動作を始める。このようにして、最終的には、第２ドアＢが完全に展開した図８の状態となり、廊下等を完全に閉鎖することができる。
【０００７】
【発明が解決しようとする課題】
ところで、通常一般に、ドアにあっては、吊元のがた等に起因した傾きが戸先側に多少発生するものであるが、特にこのような折りドアにあっては、その傾きが増幅され、極端な場合にはドアを完全には閉じきれずに防災上大きな問題となることがある。
【０００８】
即ち、これは、例えば図９に示すように、第１ドアＡを完全に展開した後、この第１ドアＡに対して第２ドアＢが特に９０度開いた状態のときには、第１ドアＡの一方の面に第２ドアＢの荷重により大きな捩じれ力が発生している。即ち、同図において、第２ドアＢの自重Ｗがモーメントとして第１ドアＡの上下部には、図示する方向の力Ｆ，Ｆ´が作用するので、第１ドアＡの戸先側は図１０に示すように、大きく傾くことがある。その結果、第２ドアＢの戸先が床面に接触して閉鎖できない虞れがある。ところが、この第１ドアＡの下端側には戸当りがない場合、この傾きを防止することは難しい。
また、このような問題は、設置当初に発生がみられなくとも、長期間使用するにつれて顕著に現れてくる場合もあり、いざというときに役に立たず、大きな火災を招くことも考えられる。
【０００９】
そこで、この発明は、上記した事情に鑑み、折りドアの開扉時（展開）のドアの捩じれを防止することができる折りドアの展開方法を提供することを目的とするものである。
【００１０】
【課題を解決するための手段】
上記目的を達成するため本発明は、第１ドア（Ａ）側のロック部材と、このロック部材を係合ロックする第２ドア（Ｂ）側のフック部材とでロック装置を構成し、各ドア（Ａ）（Ｂ）は、折り畳まれこのロック装置で一体に結合された状態のまま電磁レリーズにより第２ドア（Ｂ）側が保持されて戸袋内にまとめて収納され、非常時には、電磁レリーズの作動によって第２ドア（Ｂ）の保持状態が解除され、第１ドア（Ａ）に設けたクローザの閉扉力で第１ドア（Ａ）が第２ドア（Ｂ）を折り畳み状態で一体に結合させたまま戸袋から解放され廊下を閉じていく方向に展開し、その後、第１ドア（Ａ）が完全展開する直前において、ロック装置が作動してロック部材とフック部材との係合が解除され、その結果、第２ドア（Ｂ）に設けたクローザの閉扉力により、第２ドア（Ｂ）が閉鎖動作を始め、最終的には、第２ドア（Ｂ）が完全に展開した状態において、廊下を閉鎖することができるようにした折りドアの展開方法において、折り畳み時に第１ドア（Ａ）のハウジング（２）に収納されたストップ部材（１）を第２ドア（Ｂ）に設けたホールド部材（３）で降下するのを防止するように保持し、第１ドア（Ａ）が閉じた後、第２ドア（Ｂ）側が展開し始めて第２ドア（Ｂ）側が第１ドア（Ａ）側から離間することによりホールド部材（３）がストップ部材（１）から離間してストップ部材（１）が降下して廊下の床面に楔状に当接し、第１ドア（Ａ）を保持させた後に第２ドア（Ｂ）がさらに展開して廊下を閉鎖するようにした。
【００１１】
【発明の実施の形態】
以下、この発明の好適な実施例について添付図面を参照しながら説明する。
図１はこの発明に係るストッパー装置と折りドア（第１ドアＡ及び第２ドアＢからなるが、３枚以上で構成してもよい）の捩じれ防止方法を示すものである。
この発明に係る捩じれ防止方法は、第１ステップＳ１から第５ステップＳ５で構成される折りドアによる廊下（通路等でもよい）閉鎖動作のうち、特に第３ステップＳ３及び第４ステップＳ４において適用されている。
【００１２】
第１ステップＳ１では、火災等の異常事態が発生すると、これを検知した電磁レリーズが作動し、戸袋での第２ドアＢ側の保持動作を解除する。
第２ステップＳ２では、第１ステップＳ１において電磁レリーズによる第２ドアＢ側の解放により、この第２ドアＢ側及びこの第２ドアＢ側と一体に結合されている第１ドアＡが戸袋から抜け出して一体に展開する。この状態までは、図２に示すように、ストップ部材（ストッパー装置）１が第１ドアＡ側のハウジング２に収納されている。
【００１３】
第３ステップＳ３では、第１ドアＡ側が９０度回転して完全に展開し終わる（従来例での図７参照）と、ロック装置が始動して第１ドアＡ側及び第２ドアＢ側の結合状態が解除される。これにより、第２ドアＢ側が展開を始める。
第４ステップＳ４では、第２ドアＢ側が展開し始めると、この第２ドアＢ側が第１ドアＡ側から離間することにより、図３に示すように、第２ドアＢ側のホールド部材３がストップ部材１から離間するから、第１ドアＡ側からストップ部材１が降下して床面Ｆに楔状に当接し、突っかい棒のように作用して第１ドアＡ側の捩じれを防止する。これにより、特に図４に示すように第２ドアＢ側が第１ドアＡ側から９０度開いた状態の場合に、大きな捩じれ力が第１ドアＡ側に作用しても、このストップ部材１がこれを阻止する。
なお、本発明でもロック装置、クローザ、電磁レリーズについては、図６ないし図８に示す従来例と同様のものが設けられている（図４では符号を付していないが）。
【００１４】
なお、この実施例において、各ドアを折り畳んで元の戸袋に戻すときには、ここで説明したことと逆の動作が自動的に行われ、降下していたストップ部材１が第１ドアＡ側の元のハウジング２内に戻る。
またこの実施例では、ストップ部材が床面に楔状に当接させる構成としたが、これに限定されるものではなく、例えば床面に一部穿設した孔にストップ部材が嵌入する構成としてもよい。この場合、ストップ部材はばね等により常時下方に向けて弾性力を付勢されていてもよく、普段の平常時には例えば図５に示すようにストップ部材１´を側方からホールド部材３´で押さえこみ、降下動作を阻止する。
【００１５】
【発明の効果】
以上説明してきたようにこの発明によれば、ドアが展開するときには、吊元側ドア（例えば第１ドア及び第２ドアの２枚のドアからなる場合には、第１ドアＡ側）と吊先側ドア（同様に、第２ドアＢ側）との結合状態の解除動作に連動して吊元側ドア（第１ドアＡ側）において床面側にストップ部材が突出し、このストップ部材が床面と吊元側ドア（第１ドアＡ側）との間に楔状に当接して突張り、吊先側ドア（第２ドアＢ側）による側圧に対抗して吊元側ドア（第１ドアＡ側）のねじれや傾きを防止する。そして、長期間に亙たりドアの傾きを防止することができ、ひいては防火ドアとして信頼性の高いものを提供することができる。
【図面の簡単な説明】
【図１】  この発明の捩じれ防止方法を適用した折りドアの展開動作を示すフローチャート。
【図２】  この発明に係る捩じれ防止方法を示す説明図。
【図３】  同説明図。
【図４】  この発明の捩じれ防止方法が作用するドアの展開動作を示す説明図。
【図５】  他の捩じれ防止方法を示す説明図。
【図６】  折りドアの展開動作を示す説明図。
【図７】  同説明図。
【図８】  同説明図。
【図９】  折りドアに作用する力の向きを示す説明図。
【図１０】  従来の折りドアの欠点を示す説明図。
【符号の説明】
１  ストップ部材（ストッパー装置）
２ ハウジング
３  ホールド部材
１０  ロック装置
１１  電磁レリーズ
１２  戸袋
Ａ  第１ドア
Ｂ  第２ドア
ａ，ｂ  クローザ
【図１】
0004097346.tif 000002
【図２】
0004097346.tif 000003
【図３】
0004097346.tif 000004
【図４】
0004097346.tif 000005
【図５】
0004097346.tif 000006
【図６】
0004097346.tif 000007
【図７】
0004097346.tif 000008
【図８】
0004097346.tif 000009
【図９】
0004097346.tif 000010
【図１０】
0004097346.tif 000011